(57)【要約】      （修正有）【課題】基盤の一方の面に薄付属部、他方の面に厚付属部を有するパチンコ台等の弾球遊技台を、表裏どちらの向きであっても確実に収納する収納箱を提供する。【解決手段】収納箱１は、一対の幅広側面１１ｂ及び幅狭側面１２ａ並びに底面を有する箱本体と、幅狭側面の上端に延設された２枚の上フラップ２４ａ、２４ｂと、幅狭側面から箱本体内側に折り込まれる下向きコの字型の２枚の側フラップを有する。上フラップの先端には平行な第１及び第２切り込み３１ｃ、３１ｄが設けられ、第１切り込みから第１切り込みに近い方の幅広側面までの距離及び第２切り込みから第２切り込みに近い方の幅広側面までの距離のそれぞれが、基盤の厚みと薄付属部の厚みの和と同じになるとともに、２枚の側フラップを内側に垂直に折り込んだ際の該２枚の側フラップの先端間の距離が厚付属部の横幅より小さくなるように設定されている。【選択図】図２
0003171832.tif 000002
【実用新案登録請求の範囲】
【請求項１】
基盤と、該基盤の一方の面に設けられた薄付属部と、他方の面に設けられた厚付属部とを有し、該基盤の厚みと該薄付属部の厚みの和が該厚付属部の厚みよりも小さい弾球遊技台を収納するための収納箱であって、
a) 前記基盤の一方の面及び他方の面と対向すべき一対の幅広側面と、該幅広側面に隣接しつつ対向する一対の幅狭側面と、底面とを有する直方体状の箱本体と、
b) 前記幅狭側面のそれぞれの上端に延設された同一形状の２枚の上フラップと、
c) 前記上フラップのそれぞれの先端に設けられた２本の平行な切り込みであって、一方の切り込みから該一方の切り込みに近い方の幅広側面までの距離及び他方の切り込みから該他方の切り込みに近い方の幅広側面までの距離のそれぞれが、前記基盤の厚みと前記薄付属部の厚みの和と同じになるように設定されている第１及び第２切り込みと、
d)  前記幅狭側面のそれぞれに下向きコ字型の切り込みを設けることにより形成された、同一形状の２枚のフラップであって、一方の側端から該一方の側端に近い方の幅広側面までの距離及び他方の側端から該他方の側端に近い方の幅広側面までの距離のそれぞれが、前記基盤の厚みと前記薄付属部の厚みの和以上となるように設定されているとともに、２枚の本側フラップを内側に垂直に折り込んだ際の該２枚の側フラップの先端間の距離が前記厚付属部の横幅より小さくなるように設定されている側フラップと、
を備えることを特徴とする弾球遊技台の収納箱。
【請求項２】
前記箱本体の内側に折り込まれた前記側フラップの一方の側端から該一方の側端に近い方の幅広側面までの距離及び他方の側端から該他方の側端に近い方の幅広側面までの距離のそれぞれが、前記基盤の厚みと前記薄付属部の厚みの和と同じになるように設定されていることを特徴とする、請求項１に記載の弾球遊技台の収納箱。
【考案の詳細な説明】
【技術分野】
【０００１】
本考案は、パチンコ台等の弾球遊技台の収納箱に関する。
【背景技術】
【０００２】
一般的なパチンコ台は、１枚の略矩形状の板部材（以下、これを「基盤」という）と、その一方の面に設けられた遊技部と、他方の面に設けられた制御盤部により構成されている。遊技部は、多数の釘や入賞具を有する遊技盤、球皿、球を弾くためのハンドル等から成る。また、制御盤部は、遊技部を制御するための各種制御基板、電気回線、遊技済みの球を案内する球寄せカバー等から成る。
【０００３】
このように、パチンコ台には基盤の両面に種々の部品が取り付けられているが、この中には衝撃に弱い部品も含まれているため、パチンコ台を搬送する際にそうした部品が破損することがないように、専用の収納箱に収納する。
従来のパチンコ台の収納箱は、段ボールから成る外箱と、該外箱とそれに収納されたパチンコ台の間に介装される緩衝部材とから構成されている。緩衝部材は、以前は発泡スチロール製のものが多かったが、環境への負荷を考慮して、段ボール製のものが増えている。しかしいずれにせよ、外箱とは別に緩衝部材を用意する必要があるうえ、外箱とパチンコ台の間の所定の箇所に緩衝部材をうまく挟む必要があり、手間がかかるという問題があった。
【０００４】
そこで、緩衝部材を使わずにパチンコ台を保護できるようにした収納箱が提案されている（例えば、特許文献１参照）。この収納箱は、直方体状の段ボール箱の対向する側面のうち、狭い方の側面の上下端にそれぞれ略矩形状の内フラップを設け、各内フラップに、それぞれの側端と平行な２本の切り込みを設けたものである。この段ボール箱にパチンコ台を収納した後、４枚の内フラップを前記狭い方の側面に略垂直に折り込むとともに、前記２本の切り込みの外側をパチンコ台の基盤と段ボール箱の間に折り込むことにより、基盤を挟持するように構成されている。
【先行技術文献】
【特許文献】
【０００５】
【特許文献１】特開2004-284591号公報
【考案の概要】
【考案が解決しようとする課題】
【０００６】
ところで、一般的なパチンコ台は、遊技部に比べると制御盤部の方が厚みが大きい。従って、上記従来の収納箱では、各内フラップに設ける２本の切り込みの位置や間隔を遊技部及び制御盤部の厚みに応じてそれぞれ設定する必要があるため、パチンコ台を収納箱に収納する際の表裏の向きが限定されてしまう。すなわち、収納に際してパチンコ台の表裏の向きを逐一確認せねばならず、収納作業に手間がかかるという問題があった。
【０００７】
なお、このような問題は上述したパチンコ台に限らず、スマートボール台やピンボール台のような、基盤とその両面に薄い付属部（一般には遊技部）と厚い付属部（一般には制御盤部）を備える弾球遊技台について一般的に生じるものである。
【０００８】
本考案は上記課題を解決するために成されたものであり、その目的とするところは、表裏どちらの向きであっても弾球遊技台を確実に収納することが可能な収納箱を提供することにある。
【課題を解決するための手段】
【０００９】
上記課題を解決するために成された本考案に係る弾球遊技台の収納箱は、
基盤と、該基盤の一方の面に設けられた薄付属部と、他方の面に設けられた厚付属部とを有し、該基盤の厚みと該薄付属部の厚みの和が該厚付属部の厚みよりも小さい弾球遊技台を収納するための収納箱であって、
a) 前記基盤の一方の面及び他方の面と対向すべき一対の幅広側面と、該幅広側面に隣接しつつ対向する一対の幅狭側面と、底面とを有する直方体状の箱本体と、
b) 前記幅狭側面のそれぞれの上端に延設された同一形状の２枚の上フラップと、
c) 前記上フラップのそれぞれの先端に設けられた２本の平行な切り込みであって、一方の切り込みから該一方の切り込みに近い方の幅広側面までの距離及び他方の切り込みから該他方の切り込みに近い方の幅広側面までの距離のそれぞれが、前記基盤の厚みと前記薄付属部の厚みの和と同じになるように設定されている第１及び第２切り込みと、
d) 前記幅狭側面のそれぞれに下向きコ字型の切り込みを設けることにより形成された同一形状の２枚のフラップであって、一方の側端から該一方の側端に近い方の幅広側面までの距離及び他方の側端から該他方の側端に近い方の幅広側面までの距離のそれぞれが、前記基盤の厚みと前記薄付属部の厚みの和以上となるように設定されているとともに、２枚の本側フラップを内側に垂直に折り込んだ際の該２枚の側フラップの先端間の距離が前記厚付属部の横幅より小さくなるように設定されている側フラップと、
を備えることを特徴とする。
【００１０】
パチンコ台やスマートボール台、ピンボール台等の一般的な弾球遊技台は、基盤のそれぞれの面に遊技部又は制御盤部を備えており、これら遊技部と制御盤部のうち薄い方が上述した「薄付属部」に相当し、厚い方が「厚付属部」に相当する。通常は制御盤部が厚付属部となり、遊技部が薄付属部となる。
【００１１】
本考案に係る収納箱では、両側の側フラップを内側に折り込んだ状態で弾球遊技台を収納する。そして、２枚の上フラップを箱の内側に略垂直に折り曲げ、両上フラップの先端に設けられた２本の切り込みの間の部分（上固定部）を更に箱の内部に折り曲げる。すると、上固定部の一方の側端が基盤の厚付属部側の面に当接してこれを支持する。
【００１２】
また、両側の側フラップが内側に折り込まれると、弾球遊技台を箱本体に入れる際に厚付属部がこれら２枚の側フラップの先端を斜め下方向に押し下げる。弾球遊技台が箱本体に完全に入ると、両側の側フラップは箱本体の内部において斜め下方向を向きつつ、厚付属部の両側面に当接してこれを挟持する。そのため、２枚の側フラップの先端と厚付属部の側面の摩擦により、箱内に収納された弾球遊技台が上方に動くことが防止される。
【００１３】
本考案に係る弾球遊技台の収納箱においては、上述した上フラップにおける２本の切り込みは、一方の切り込みから該一方の切り込みに近い方の幅広側面までの距離及び他方の切り込みから該他方の切り込みに近い方の幅広側面までの距離のそれぞれが、前記基盤の厚みと前記薄付属部の厚みの和と同じになるように設定されている。従って、弾球遊技台を表裏どちらの向きに収容しても、上固定部の一方の側端が基盤の厚付属部側の面を支持する。
また、上述した２枚の側フラップは、一方の側端から該一方の側端に近い方の幅広側面までの距離及び他方の側端から該他方の側端に近い方の幅広側面までの距離のそれぞれが、前記基盤の厚みと前記薄付属部の厚みの和以上となるように設定されている。従って、弾球遊技台を表裏どちらの向きに収容しても、両側の側フラップが基盤の側端にぶつかることがない。
【００１４】
なお、本考案に係る弾球遊技台の収納箱では、側フラップの一方の側端から該一方の側端に近い方の幅広側面までの距離及び他方の側端から該他方の側端に近い方の幅広側面までの距離のそれぞれが、基盤の厚みと薄付属部の厚みの和と同じになるように設定されていることが望ましい。この構成により、上フラップの先端の第１及び第２切り込みに挟まれた部分に加え、２枚の側フラップの側端の一方も基盤の厚付属部側の面に当接するため、弾球遊技台を箱本体の内部で確実に保持することができる。
【考案の効果】
【００１５】
本考案に係る弾球遊技台の収納箱では、上述したように、表裏どちらの向きでも弾球遊技台を確実に収納することができるため、収納に際して弾球遊技台の表裏の向きを確認する必要がなく、効率よく収納作業を行うことが可能となる。
【図面の簡単な説明】
【００１６】
【図１】本考案の一実施例に係るパチンコ台の収納箱の展開図。
【図２】本実施例に係る収納箱にパチンコ台を収納した状態を示す全体斜視図。
【図３】本実施例に係る収納箱にパチンコ台を収納した状態を示す横断面図。
【図４】本実施例に係る収納箱の内部において、側フラップが制御盤部の側面に当接した状態を示す縦断面拡大図。
【図５】本実施例の変形例に係る収納箱にパチンコ台を収納した状態を示す横断面図。
【考案を実施するための形態】
【００１７】
本考案の一実施例である、パチンコ台１００を対象とする収納箱１について、図１〜図４を参照しながら説明する。図１の点線は山折りを示す。
パチンコ台１００は、基盤１０１のそれぞれの面に遊技部１０２及び制御盤部１０３を有する。該パチンコ台１００では、制御盤部１０３の方が遊技部１０２に比べて厚みが大きく（即ち、制御盤部１０３は本願発明の厚付属部に相当し、遊技部１０２は本願発明の薄付属部に相当する）、また、基盤１０１の厚みと遊技部１０２の厚みの和が制御盤部１０３の厚みよりも小さい。
以下の説明では、基盤１０１において遊技部１０２を有する側の面を「表（おもて）面」、制御盤部１０３を有する側の面を「裏面」と表現する。
【００１８】
本実施例の収納箱１は、１枚の段ボールを折り曲げ、組み立てることにより形成される。
図１に示すように、収納箱１は、折り線５２、５３、５４を介して順に連なる幅広側面１１ａ、幅狭側面１２ａ、幅広側面１１ｂ、幅狭側面１２ｂを有する。幅広側面１１ａの他方の側端には、収納箱１を組み立てる時に直方体状を形成するためののりしろ１３が折り線５１を介して延設されている。
幅広側面１１ａ、１１ｂ及び幅狭側面１２ａ、１２ｂの大きさは、対象とするパチンコ台１００の基盤１０１の大きさ及びパチンコ台１００の厚みに応じてそれぞれ設定する。
【００１９】
幅広側面１１ａ、１１ｂの下端には、先端の片半分が凹状に形成された略矩形状の幅広底面２１ａ、２１ｂが折り線５５、５７を介してそれぞれ延設されている。また、幅狭側面１２ａ、１２ｂの下端には、台形状の幅狭底面２２ａ、２２ｂが折り線５６、５８を介してそれぞれ延設されている。
さらに、幅広側面１１ａ、１１ｂの上端には略矩形状の天面２３ａ、２３ｂが折り線５９、６１を介してそれぞれ延設され、幅狭側面１２ａ、１２ｂの上端には略矩形状の上フラップ２４ａ、２４ｂが折り線６０、６２を介してそれぞれ延設されている。上フラップ２４ａ、２４ｂは同一形状を有する。
【００２０】
上フラップ２４ａ、２４ｂの先端には、折り線６０、６２と直交する第１切り込み３１
ａ、３１ｃ及び第２切り込み３１ｂ、３１ｄがそれぞれ設けられている。上フラップ２４ａにおいて、第１切り込み３１ａから折り線５２までの距離と、第２切り込み３１ｂから折り線５３までの距離は、いずれも、対象とするパチンコ台１００の基盤１０１の厚みと遊技部１０２の厚みの和と同じになるように設定されている。上フラップ２４ｂにおいても同様に、第１切り込み３１ｃから折り線５４までの距離と、第２切り込み３１ｄから幅狭側面１２ｂの他方の側端までの距離は、いずれも、対象とするパチンコ台１００の基盤１０１の厚みと遊技部１０２の厚みの和と同じになるように設定されている。
【００２１】
幅狭側面１２ａ、１２ｂの上部中央には、下向きコの字型の第３切り込み３２ａ、３２ｂに囲まれた側フラップ４２ａ、４２ｂがそれぞれ設けられている。側フラップ４２ａ、４２ｂは同一形状を有する。
第３切り込み３２ａ、３２ｂの位置は、側フラップの一方の側端から該一方の側端に近い方の幅広側面までの距離及び他方の側端から該他方の側端に近い方の幅広側面までの距離のそれぞれが、基盤１０１の厚みと遊技部１０２の厚みの和以上となるように設定されている。さらに、第３切り込み３２ａ、３２ｂは、両側の側フラップ４２ａ、４２ｂを箱本体の内側に垂直に折り込んだときに、該側フラップ４２ａ、４２ｂの先端間の距離がパチンコ台１００の制御盤部１０３の横幅より小さくなるように設定されている。
【００２２】
幅広側面１１ａの上端の折り線５９の中央には、該折り線５９に沿うように第４切り込み３３が設けられている。また、天面２３ｂの上端中央には、第４切り込み３３と同じ幅を有し、箱本体を閉じる際に前記第４切り込み３３に差し込まれる略矩形状の差込部４３が取り付けられている。
【００２３】
次に、本実施例の収納箱１を組み立て、その内部にパチンコ台１００を収納する工程について説明する。
まず、折り線５１〜５４を山折りし、のりしろ１３を幅狭側面１２ｂの内側に接着して、全体を四角筒状に形成する。折り線５６、５８を介して幅狭底面２２ａ、２２ｂをそれぞれ内側に折り込み、該幅狭底面に重ねるように折り線５５、５７を介して幅広底面２１ａ、２１ｂをそれぞれ折り込み、該幅広底面同士を互いに噛み合わせて底面を形成する。これにより、収納箱１の組み立てが完成する。
【００２４】
次に、側フラップ４２ａ、４２ｂを箱本体の内側に折り込む。そして、箱本体の内部にパチンコ台１００を入れる。この時、パチンコ台１００の表裏の向きはどちらでもよいが、以下、基盤１０１の表面（遊技部１０２側の面）が幅広側面１１ａに対向するようにパチンコ台１００を入れる場合について説明する。
パチンコ台１００を箱本体に入れる際、制御盤部１０３の下面により側フラップ４２ａ、４２ｂの先端が押し下げられる。パチンコ台１００が箱本体に完全に入ると、図４に示すように、両側の側フラップ４２ａ、４２ｂは箱本体の内部において斜め下方向を向きつつ、制御盤部１０３の両側面に当接してこれを挟持する。
【００２５】
パチンコ台１００を箱本体に入れた後、上フラップ２４ａ、２４ｂを折り線６０、６２を介して収納箱１の内側に略垂直にそれぞれ折り込む。また、上フラップ２４ａ、２４ｂの端部に設けられた、第１切り込み３１ａ、３１ｃ及び第２切り込み３１ｂ、３１ｄに挟まれた上固定部４１ａ、４１ｂを収納箱１の内側に略垂直に折り込む。このとき、上固定部４１ａ、４１ｂの側端のうち第１切り込み３１ａ、３１ｃ側の側端が基盤１０１の裏面に当接する。
【００２６】
最後に、天面２３ａを折り線５９を介して折り、該天面２３ａに重ねるように天面２３ｂを折り線６１を介して折り、差込部４３を第４切り込み３３に差し込んで収納箱１を閉じる。以上の工程により、パチンコ台１００が収納箱１に収納される。
【００２７】
もし、パチンコ台１００を収納箱１に入れる際の表裏の向きが上述の説明とは逆であったとしても（即ち、基盤１０１の裏面が幅広側面１１ａに対向するようにしても）、上固定部４１ａ、４１ｂの他方の側端が基盤１０１の裏面に当接するとともに、両側の側フラップ４２ａ、４２ｂの先端間に制御盤部１０３が挟持されるため、パチンコ台１００を上記同様に収納することができる。
このように、本実施例に係る収納箱１は、表裏どちらの向きであってもパチンコ台１００を確実に収納できるため、収納に際してパチンコ台１００の表裏の向きを確認する必要がなく、効率のよい収納作業が可能となる。
【００２８】
さらに、本実施例に係る収納箱１では、第３切り込み３２ａ、３２ｂを下向きコの字型としたことにより、両側の側フラップ４２ａ、４２ｂが斜め下方向を向いた状態で制御盤部１０３の両側面に当接してこれを挟持する。そのため、２枚の側フラップ４２ａ、４２ｂの先端と制御盤部１０３の側面の摩擦により、収納されたパチンコ台１００が上方に動くことが防止される。
なお、側フラップ４２ａ、４２ｂを箱本体の内側に折り込むことによって幅狭側面１２ａ、１２ｂのそれぞれに形成された穴を手掛穴として利用すれば、搬送作業が容易になる。
【００２９】
本実施例に係る収納箱は以下のような変形が可能である。
図５に示すように、側フラップ４２ａ、４２ｂの一方の側端から該一方の側端に近い方の幅広側面までの距離及び他方の側端から該他方の側端に近い方の幅広側面までの距離のそれぞれが、基盤１０１の厚みと遊技部１０２の厚みの和と同じになるように設定する。このようにした収納箱１Ａでは、パチンコ台１００を表裏どのような向きに収納しても、側フラップ４２ａ、４２ｂの一方の側端が基盤１０１の裏面に当接する。従って、上固定部４１ａ、４１ｂの側端だけでなく、側フラップ４２ａ、４２ｂの側端も基盤１０１の裏面を支持するため、パチンコ台１００を収納箱１Ａの内部に一層確実に保持することが可能となる。
【符号の説明】
【００３０】
１、１Ａ…収納箱
１１ａ、１１ｂ…幅広側面
１２ａ、１２ｂ…幅狭側面
１３…のりしろ
２１ａ、２１ｂ…幅広底面
２２ａ、２２ｂ…幅狭底面
２３ａ、２３ｂ…天面
２４ａ、２４ｂ…上フラップ
３１ａ、３１ｃ…第１切り込み
３１ｂ、３１ｄ…第２切り込み
３２ａ、３２ｂ…第３切り込み
３３…第４切り込み
４１ａ、４１ｂ…上固定部
４２ａ、４２ｂ…側フラップ
４３…差込部
５１〜６２…折り線
１００…パチンコ台
１０１…基盤
１０２…遊技部
１０３…制御盤部
【図１】
0003171832.tif 000003
【図２】
0003171832.tif 000004
【図３】
0003171832.tif 000005
【図４】
0003171832.tif 000006
【図５】
0003171832.tif 000007